(57)【要約】【課題】所定の角度範囲で任意の角度に液晶テレビの傾きを調節することが可能な液晶テレビ用スタンドを提供する。【解決手段】この液晶テレビ用スタンドでは、液晶テレビ５０を所定の角度で傾斜させた状態で支持するスタンド部材３０と、スタンド部材３０の先端部３０ｂが取り付けられる保持部材２０と、液晶テレビ５０の背面に取り付けられ、保持部材２０が回動可能に取り付けられるベース部材１０とを備えた液晶テレビ用スタンドにおいて、保持部材２０は、矩形状のスライダ２３と、スライダ２３の上端面２３ａが当接する第１ストッパ部２１ｅおよびスライダ２３の下端面２３ｂが当接する第２ストッパ部２１ｆを有する下部カバー２１と、スライダ２３の実質的に平坦な側面中央部２３ｃに当接するように配置された凸状の板バネ２５と、凸状の板バネ２５を所定の押圧力で押圧するゴム部材からなる押圧部材２６とを含む。【選択図】図５
2004361764.tif 000002
【特許請求の範囲】
【請求項１】
液晶テレビの背面に装着され、前記液晶テレビを所定の角度で傾斜させた状態で支持するとともに、載置面に対してほぼ水平に延びる支持部と載置面に対して交差する方向に延びる２つの先端部とを有するパイプ状のスタンド部材と、前記スタンド部材の先端部が取り付けられる保持部材と、前記液晶テレビの背面に取り付けられ、前記保持部材が回動可能に取り付けられるベース部材とを備えた液晶テレビ用スタンドにおいて、
前記保持部材は、
前記スタンド部材の２つの先端部に取り付けられ、前記スタンド部材の先端部の延びる方向に対して実質的に平行な方向に延びる実質的に平坦な側面中央部と前記側面中央部よりも凹んだ丸形形状の側面両端部とを有する側面と、前記スタンド部材の先端部の延びる方向に対して実質的に垂直な方向に延びる一方端面および他方端面とを含む矩形状のスライダと、
前記スタンド部材の先端部の延びる方向に実質的に平行な方向に前記スライダを移動可能に保持するとともに、前記スライダの一方端面が当接する第１ストッパ部と、前記スライダの他方端面が当接する第２ストッパ部とを有するスライダ受け部材と、
前記スライダ受け部材に取り付けられ、前記スライダの実質的に平坦な側面中央部に当接するように配置された凸状の板バネと、前記凸状の板バネを前記スライダの側面中央部に所定の押圧力で押圧するゴム部材からなる押圧部材とを有するとともに、前記スライダの所定の移動力以下での移動を抑制するための移動抑制部材とを含む、液晶テレビ用スタンド。
【請求項２】
液晶表示装置の背面に装着され、前記液晶表示装置を所定の角度で傾斜させた状態で支持するとともに、支持部と先端部とを有するスタンド部材と、
前記スタンド部材の先端部が取り付けられる保持部材とを備え、
前記保持部材は、
前記スタンド部材の先端部に取り付けられ、実質的に平坦な側面中央部と前記側面中央部よりも凹んだ形状の側面両端部とを有する側面を含むスライダと、
前記スライダを移動可能に保持するスライダ受け部材と、
前記スライダ受け部材に取り付けられ、前記スライダの実質的に平坦な側面中央部を所定の押圧力で押圧するように配置されるとともに、前記スライダの所定の移動力以下での移動を抑制するための移動抑制部材とを備えた、液晶表示装置用スタンド。
【請求項３】
前記スライダは、前記スタンド部材の先端部の延びる方向に対して実質的に垂直な方向に延びる一方端面および他方端面を含み、
前記スライダ受け部材は、前記スタンド部材の先端部の延びる方向に実質的に平行な方向に前記スライダを移動可能に保持するとともに、前記スライダの一方端面が当接する第１ストッパ部と、前記スライダの他方端面が当接する第２ストッパ部とを有する、請求項２に記載の液晶表示装置用スタンド。
【請求項４】
前記保持部材は、前記液晶表示装置の背面に取り付けられたベース部材に回動可能に取り付けられている、請求項２または３に記載の液晶表示装置用スタンド。
【請求項５】
前記移動抑制部材は、前記スライダ受け部材に取り付けられ、前記スライダの実質的に平坦な側面中央部に当接するように配置された凸状の板バネと、前記凸状の板バネを前記スライダの側面中央部に所定の押圧力で押圧するゴム部材からなる押圧部材とを有する、請求項２〜４のいずれか１項に記載の液晶表示装置用スタンド。
【発明の詳細な説明】
【０００１】
【発明の属する技術分野】
この発明は、液晶テレビ用スタンドおよび液晶表示装置用スタンドに関し、特に、液晶テレビを所定の角度で傾斜させた状態で支持するスタンド部材を備えた液晶テレビ用スタンドおよび液晶表示装置用スタンドに関する。
【０００２】
【従来の技術】
近年、薄型でコンパクトなテレビとして、液晶テレビが開発されている。この液晶テレビは、薄型で軽量であるので、液晶テレビの背面にスタンドを装着することにより、液晶テレビを背面から支持する構造のものも知られている。このような液晶テレビのスタンドとして、従来の角度調節機構を備えた物品を立てるためのスタンドを用いることも考えられる（たとえば、特許文献１参照）。
【０００３】
上記特許文献１には、本体部に対して回動自在に取り付けられた歯車部と、この歯車部にかみ合うとともに本体部に対して摺動自在に取り付けられた摺動歯と、物品を立てる面に対して本体部を支持するための脚部とを備えることによって、歯車部の１ピッチ単位で物品の傾き角度の調節を可能にした物品を立てるためのスタンドが開示されている。
【０００４】
図１３は、従来の特許文献１に開示された角度調節機構を備えたスタンドを、液晶テレビ用スタンドとして用いた場合の概略側面図である。
【０００５】
図１３を参照して、従来の液晶テレビ用スタンド１００は、液晶テレビ１５０の背面に取り付けられた取り付け部１１０と、取り付け部１１０に対して回動可能に取り付けられた本体部１２０と、本体部１２０に取り付けられたスタンド部材（脚部）１３０とを有している。液晶テレビ１５０を載置する場合、液晶テレビ１５０の背面に対して所定の角度分だけ本体部１２０を回動させるとともに、液晶テレビ１５０の下面と、液晶テレビ用スタンド１００のスタンド部材（脚部）１３０とを載置面に対して載置する。そして、液晶テレビ１５０の傾き角度を調節する際には、本体部１２０の液晶テレビ１５０の背面に対する開き角度を変化させる。すなわち、図１３に示すように、スタンド部材（脚部）１３０の載置位置を液晶テレビ１５０の載置位置Ａに対して、ＢからＣに変化させることにより、液晶テレビ１５０の傾きは、より傾いた状態に変化する。この場合、液晶テレビ１５０の載置位置Ａと、液晶テレビ用スタンド１００のスタンド部材（脚部）１３０の載置位置（ＢまたはＣ）との距離は変化する。
【０００６】
【特許文献１】
特許第３０６５５３０号公報
【０００７】
【発明が解決しようとする課題】
しかしながら、図１３に示したように、特許文献１によるスタンドを液晶テレビ用スタンド１００として用いた場合では、物品の傾き角度の調節を数段階でしか行うことができないため、大まかな角度調整しか行えないという不都合があった。これにより、使用者の最も見やすい傾き角度に調整するのが困難であるという問題点があった。
【０００８】
また、図１３に示した従来の液晶テレビ用スタンド１００では、液晶テレビ１５０の傾き角度を変化させるために、液晶テレビ１５０の載置位置Ａと、液晶テレビ用スタンド１００の載置位置（ＢまたはＣ）との間の距離が変化するので、液晶テレビ１５０をより傾かせた状態で載置するためには、より大きな設置スペースが必要であるという問題点もある。
【０００９】
この発明は、上記のような課題を解決するためになされたものであり、この発明の１つの目的は、所定の角度範囲で任意の角度に液晶テレビおよび液晶表示装置の傾きを調節することが可能な液晶テレビ用スタンドおよび液晶表示装置用スタンドを提供することである。
【００１０】
【課題を解決するための手段および発明の効果】
上記目的を達成するために、この発明の第１の局面における液晶テレビ用スタンドでは、液晶テレビの背面に装着され、液晶テレビを所定の角度で傾斜させた状態で支持するとともに、載置面に対してほぼ水平に延びる支持部と載置面に対して交差する方向に延びる２つの先端部とを有するパイプ状のスタンド部材と、スタンド部材の先端部が取り付けられる保持部材と、液晶テレビの背面に取り付けられ、保持部材が回動可能に取り付けられるベース部材とを備えた液晶テレビ用スタンドにおいて、保持部材は、スタンド部材の２つの先端部に取り付けられ、スタンド部材の先端部の延びる方向に対して実質的に平行な方向に延びる実質的に平坦な側面中央部と側面中央部よりも凹んだ丸形形状の側面両端部とを有する側面と、スタンド部材の先端部の延びる方向に対して実質的に垂直な方向に延びる一方端面および他方端面とを含む矩形状のスライダと、スタンド部材の先端部の延びる方向に実質的に平行な方向にスライダを移動可能に保持するとともに、スライダの一方端面が当接する第１ストッパ部と、スライダの他方端面が当接する第２ストッパ部とを有するスライダ受け部材と、スライダ受け部材に取り付けられ、スライダの実質的に平坦な側面中央部に当接するように配置された凸状の板バネと、凸状の板バネをスライダの側面中央部に所定の押圧力で押圧するゴム部材からなる押圧部材とを有するとともに、スライダの所定の移動力以下での移動を抑制するための移動抑制部材とを含む。
【００１１】
この第１の局面における液晶テレビ用スタンドでは、上記のように、スライダの側面中央部を実質的に平坦にするとともに、その平坦な側面中央部を所定の押圧力で押圧し、かつ、スライダの所定の移動力以下での移動を抑制するための移動抑制部材を設けることによって、スライダに取り付けられたスタンド部材が液晶テレビの自重により移動するのを抑制することができるとともに、スタンド部材の角度調節をする際には、所定の移動力以上の力を加えることにより、移動抑制部材のスライダの実質的に平坦な側面中央部に対する押圧力を一定に保持しながらスライダを移動させることができる。また、スライダの側面中央部を実質的に平坦に形成することによって、スライダの側面中央部には段差がないので、スライダを連続的に無段階で移動させることができる。これにより、スライダと連結したスタンド部材を、スライダの実質的に平坦な側面中央部が移動抑制部材に当接している範囲内で、連続的に無段階で伸縮させることができる。これにより、スライダの実質的に平坦な側面中央部が移動抑制部材に当接している範囲内で無段階にスタンド部材の保持部材に対する長さを調節することができるので、液晶テレビの傾きを所定の角度範囲で任意の角度に調節することができる。また、スタンド部材を伸縮させることにより、液晶テレビの傾き角度の調節を行うことができるので、載置面に対する液晶テレビの位置およびスタンド部材の支持部の位置を動かすことなく、液晶テレビの傾き角度を調節することができる。これにより、液晶テレビの傾き角度の調節をスタンド部材の液晶テレビに対する開き角度を調節することにより行う場合に比べて、液晶テレビの載置位置とスタンド部材の載置位置との間の距離を小さくすることができるので、その分、設置スペースを少なくすることができる。また、液晶テレビの載置位置とスタンド部材の載置位置とを一定にした状態で液晶テレビの傾き角度を調節することができるので、液晶テレビの傾き角度の調節時に載置面に傷が付く可能性を低減することができる。
【００１２】
また、第１の局面では、スライダを、実質的に平坦な側面中央部よりも凹んだ丸形形状の側面両端部を有するように構成することによって、スタンド部材を最大限に縮めた時には、凸状の板バネの先端部がスライダの一方の側面端部に嵌まり込み、スタンド部材を最大限に伸ばした時には、凸状の板バネの先端部がスライダの他方の側面端部に嵌まり込むようにすることができる。さらに、スライダ受け部材を、スライダの一方端面が当接する第１ストッパ部と、スライダの他方端面が当接する第２ストッパ部とを有するように構成することによって、スタンド部材を最大限に縮めた時には、第１ストッパ部によりスライダの一方端面が受け止められ、スタンド部材を最大限に伸ばした時には、第２ストッパ部によりスライダの他方端面が受け止められる。これにより、スタンド部材を最大限に縮めた時と最大限に伸ばした時とでスライダを容易に動かないように固定することができる。その結果、スタンド部材を伸縮した時にスタンド部材が保持部材から脱落するのを防止することができる。
【００１３】
また、第１の局面では、保持部材を、液晶テレビの背面に取り付けられたベース部材に回動可能に取り付けることによって、運搬・輸送時には、スタンド部材を液晶テレビの背面側に閉じた状態にすることができる。これにより、運搬・輸送時の収納スペースを小さくすることができる。
【００１４】
また、第１の局面では、移動抑制部材を、スライダの実質的に平坦な側面中央部に当接するように配置された凸状の板バネと、凸状の板バネをスライダの実質的に平坦な側面中央部に所定の押圧力で押圧するゴム部材からなる押圧部材とを有するように構成することによって、容易に、スライダの実質的に平坦な側面中央部を所定の押圧力で押圧することができる。
【００１５】
この第２の局面における液晶表示装置用スタンドでは、液晶表示装置の背面に装着され、液晶表示装置を所定の角度で傾斜させた状態で支持するとともに、支持部と先端部とを有するスタンド部材と、スタンド部材の先端部が取り付けられる保持部材とを備え、保持部材はスタンド部材の先端部に取り付けられ、実質的に平坦な側面中央部と実質的に平坦な側面中央部よりも凹んだ形状の側面両端部とを有する側面を含むスライダと、スライダを移動可能に保持するスライダ受け部材と、スライダ受け部材に取り付けられ、スライダの実質的に平坦な側面中央部を所定の押圧力で押圧するように配置されるとともに、スライダの所定の移動力以下での移動を抑制するための移動抑制部材とを備える。
【００１６】
この第２の局面における液晶表示装置用スタンドでは、上記のように、スライダの側面中央部を実質的に平坦にするとともに、その平坦な側面中央部を所定の押圧力で押圧し、かつ、スライダの所定の移動力以下での移動を抑制するための移動抑制部材を設けることによって、スライダに取り付けられたスタンド部材が液晶表示装置の自重により移動するのを抑制することができるとともに、スタンド部材の角度調節をする際には、所定の押圧力以上の力を加えることにより、移動抑制部材のスライダの実質的に平坦な側面中央部に対する押圧力を一定に保持しながらスライダを移動させることができる。また、スライダの側面中央部を実質的に平坦に形成することによって、スライダの側面中央部には段差がないので、スライダを連続的に無段階で移動させることができる。これにより、スライダと連結したスタンド部材を、スライダの実質的に平坦な側面中央部が移動抑制部材に当接している範囲内で、連続的に無段階で伸縮させることができる。これにより、スライダの実質的に平坦な側面中央部が移動抑制部材に当接している範囲内で無段階にスタンド部材の保持部材に対する長さを調節することができるので、液晶表示装置の傾き角度を所定の角度範囲で任意の角度に調節することができる。また、スタンド部材を伸縮させることにより、液晶表示装置の傾き角度の調節を行うことができるので、載置面に対する液晶表示装置の位置およびスタンド部材の支持部の位置を動かすことなく、液晶表示装置の傾きを調節することができる。これにより、液晶表示装置の傾き角度の調節をスタンド部材の液晶表示装置に対する開き角度を調節することにより行う場合に比べて、液晶表示装置の載置位置とスタンド部材の載置位置との間の距離を小さくすることができるので、その分、設置スペースを少なくすることができる。また、液晶表示装置の載置位置とスタンド部材の載置位置とを一定にした状態で液晶表示装置の傾き角度を調節することができるので、液晶表示装置の傾き角度の調節時に載置面に傷が付く可能性を低減することができる。
【００１７】
上記第２の局面による液晶表示装置用スタンドにおいて、好ましくは、スライダは、スタンド部材の先端部の延びる方向に対して実質的に垂直な方向に延びる一方端面および他方端面とを含み、スライダ受け部材は、スタンド部材の先端部の延びる方向に実質的に平行な方向にスライダを移動可能に保持するとともに、スライダの一方端面が当接する第１ストッパ部と、スライダの他方端面が当接する第２ストッパ部とを有する。このように構成すれば、スタンド部材を最大限に縮めた時には、第１ストッパ部によりスライダの一方端面が受け止められ、スタンド部材を最大限に伸ばした時には、第２ストッパ部によりスライダの他方端面が受け止められる。これにより、スタンド部材を最大限に縮めた時と最大限に伸ばした時とでスライダを容易に動かないように固定することができる。その結果、スタンド部材を伸縮した時にスタンド部材が保持部材から脱落するのを防止することができる。
【００１８】
上記第２の局面による液晶表示装置用スタンドにおいて、好ましくは、保持部材は、液晶表示装置の背面に取り付けられたベース部材に回動可能に取り付けられている。このように構成すれば、運搬・輸送時には、スタンド部材を液晶テレビの背面側に閉じた状態にすることができるので、運搬・輸送時の収納スペースを小さくすることができる。
【００１９】
上記第２の局面による液晶表示装置用スタンドにおいて、好ましくは、移動抑制部材は、スライダ受け部材に取り付けられ、スライダの実質的に平坦な側面中央部に当接するように配置された凸状の板バネと、凸状の板バネをスライダの実質的に平坦な側面中央部に所定の押圧力で押圧するゴム部材からなる押圧部材とを有する。このように構成すれば、容易に、スライダの実質的に平坦な側面中央部を所定の押圧力で押圧することができる。
【００２０】
【発明の実施の形態】
以下、本発明の実施の形態を図面に基づいて説明する。
【００２１】
図１は、本発明の一実施形態による液晶テレビ用スタンドを備えた液晶テレビを示した背面図である。図２は、図１に示した液晶テレビを左側から見た側面図である。図３は、本発明の一実施形態による液晶テレビ用スタンドを示した斜視図である。図４は、図３に示した液晶テレビ用スタンドの分解斜視図である。図５は、図３に示した液晶テレビ用スタンドの内部構造を示した部分拡大図である。図６は、図３に示した液晶テレビ用スタンドの保持部材とスタンド部材とを示した斜視図である。図７は、図６に示した保持部材とスタンド部材とを裏側から見た斜視図である。図８は、図７に示した保持部材の部分拡大図である。図９は、本発明の一実施形態による液晶テレビ用スタンドを備えた液晶テレビを載置面に載置した状態を示した側面図である。
【００２２】
まず、図１〜図９を参照して、本実施形態による液晶テレビ用スタンドの構造について説明する。本実施形態による液晶テレビ用スタンド１は、図１および図２に示すように、ベース部材１０と保持部材２０とパイプ状のスタンド部材３０とを備えている。
【００２３】
ベース部材１０は、図３および図４に示すように、穴部１０ａと、凹部１０ｂと、支点１０ｃと、保持部材ストッパ部１０ｄとを含んでいる。このベース部材１０は、図１および図２に示すように、ベース部材１０に設けられた４つの穴部１０ａを介して、液晶テレビ用スタンド１の背面に対してねじ（図示せず）により取り付けられている。
【００２４】
また、保持部材２０は、ベース部材１０の支点１０ｃの回りに回動可能に取り付けられている。この保持部材２０は、図４に示すように、下部カバー２１と、上部カバー２２と、スライダ２３と、スライダカバー２４と、凸状の板バネ２５と、ゴム部材からなる押圧部材２６とを含んでいる。下部カバー２１は、図４および図６〜図８に示すように、凹部２１ａと、逃げ穴部２１ｂと、切り欠き部２１ｃと、フック部２１ｄと、第１ストッパ部２１ｅと、第２ストッパ部２１ｆと、凹部側面２１ｇと、軸受部２１ｈとを有している。また、図４および図８に示すように、保持部材２０の上部カバー２２は、ストッパ部受け面２２ａと軸受部２２ｂとを有する。また、下部カバー２１の軸受部２１ｈと上部カバー２２の軸受部２２ｂとは、ベース部材１０に形成された支点１０ｃを挟み込むように取り付けられる。これにより、下部カバー２１および上部カバー２２を含む保持部材２０は、ベース部材１０の支点１０ｃの回りに対して回動可能になる。
【００２５】
また、ベース部材１０に対して保持部材２０を回動させた場合に、図８に示すように、上部カバー２２のストッパ部受け面２２ａと、ベース部材１０の保持部材ストッパ部１０ｄとが所定の開き角度で当接するように構成されている。
【００２６】
また、スタンド部材３０は、図１および図２に示すように、載置面に対して水平に延びるとともに載置面に当接する支持部３０ａと、載置面に対して直交する方向に延びる２つの先端部３０ｂとを含んでいる。また、スタンド部材３０は、図１、図２および図９に示すように、保持部材２０に対して伸縮可能に構成されている。これにより、図２に示すように、保持部材２０をベース部材１０に対して所定の開き角度になるように回動させた後、液晶テレビ用スタンド１のスタンド部材３０を保持部材２０に対して伸縮させることによって、液晶テレビ５０の傾き角度の調節が可能となる。なお、液晶テレビ５０の傾き角度を調節する際には、図９に示すように、液晶テレビ５０の載置位置Ａと、液晶テレビ用スタンド１のスタンド部材３０の支持部３０ａの載置位置Ｂとの距離は一定に保たれる。
【００２７】
ここで、本実施形態では、スライダ２３は、図４および図５に示すように、矩形状に形成され、上端面２３ａと、下端面２３ｂと、実質的に平坦な側面中央部２３ｃと、丸形形状の側面両端部２３ｄとを有する。なお、上端面２３ａおよび下端面２３ｂは、それぞれ、本発明の「一方端面」および「他方端面」の一例である。スライダ２３は、保持部材２０の下部カバー２１の凹部２１ａに上下方向に移動可能に嵌め込まれる。また、スライダ２３に、スタンド部材３０の２つの先端部３０ｂがスライダ２３の側面中央部２３ｃに平行に嵌め込まれた状態で、スライダカバー２４がスライダ２３に取り付けられている。また、図５に示すように、スライダ２３に取り付けられたスタンド部材３０の２つの先端部３０ｂは、下部カバー２１に設けられた逃げ穴部２１ｂに移動可能に嵌め込まれている。
【００２８】
また、凸状の板バネ２５は、スライダ２３の実質的に平坦な側面中央部２３ｃの一方側に当接するように配置されている。この凸状の板バネ２５の両端部は、下部カバー２１のフック部２１ｄに嵌め込まれている。円柱形のゴム部材からなる押圧部材２６は、凸状の板バネ２５の裏面側に配置されている。凸状の板バネ２５の先端部は、弾性変形されたゴム部材からなる押圧部材２６の弾性復帰力による所定の押圧力によりスライダ２３の実質的に平坦な側面中央部２３ｃを押圧している。これにより、スライダ２３の上下方向の移動が抑制されている。
【００２９】
図１０〜図１２は、図５に示した本実施形態による液晶テレビ用スタンドの傾き角度調節動作を説明するための部分拡大図である。次に、図２、図８および図１０〜図１２を参照して、本実施形態による液晶テレビ用スタンド１の動作について説明する。
【００３０】
まず、液晶テレビ用スタンド１の傾き角度を調節する際には、図２に示すように、ベース部材１０に対して、保持部材２０を開く方向に回動させる。これにより、図８に示すように、保持部材２０の上部カバー２２のストッパ部受け面２２ａと、ベース部材１０の保持部材ストッパ部１０ｄとが所定の開き角度で当接するので、保持部材２０は所定の開き角度で固定される。この後、スタンド部材３０を伸縮させることによって、液晶テレビ５０の傾き角度を任意の角度に調節する。
【００３１】
図１０には、スタンド部材３０を保持部材２０に対して上方向に最大限に縮めた状態が示されている。この状態では、スタンド部材３０の２つの先端部３０ｂが取り付けられたスライダ２３の上端面２３ａは、下部カバー２１の第１ストッパ部２１ｅと当接している。また、この場合、凸状の板バネ２５の先端部は、押圧部材２６を構成する円柱状のゴム部材が円柱形状に復帰することによりスライダ２３側に突出した状態になるので、凸状の板バネ２５の先端部は、スライダ２３の丸形形状の側面両端部２３ｄの下方側に嵌まり込んだ状態になる。これにより、スタンド部材３０を保持部材２０に対して上方向に最大限に縮めた状態では、スライダ２３の上方への移動が第１ストッパ部２１ｅにより抑制されるとともに、スライダ２３の下方への移動が凸状の板バネ２５の先端部により抑制される。その結果、スタンド部材３０を縮めた時にスタンド部材３０が保持部材２０から脱落するのを防止することができる。
【００３２】
次に、図１０に示した状態から、図１１に示すように、スタンド部材３０を保持部材２０に対して下方向にある程度伸ばした状態を考える。
【００３３】
この状態では、スライダ２３の上端面２３ａと下端面２３ｂとは、下部カバー２１の凹部２１ａの第１ストッパ部２１ｅおよび第２ストッパ部２１ｆには当接していない。この場合、下部カバー２１には、液晶テレビ５０（図９参照）の自重が加わっているので、下部カバー２１をスライダ２３に対して下方に相対移動させようとする力が働く。このため、スライダ２３を下部カバー２１に対して上方向に移動させようとする力が働く。そして、本実施形態では、このスライダ２３を上方向に移動させようとする力よりも、スライダ２３の側面中央部２３ｃに当接している凸状の板バネ２５の押圧力による移動抑制力の方が大きい。すなわち、この状態では、押圧部材２６を構成する円柱状のゴム部材が弾性変形して楕円形状になっているので、そのゴム部材が円柱形状に弾性復帰しようとする力が、凸状の板バネ２５の押圧力として働く。このため、スライダ２３が液晶テレビ５０の自重により移動するのが抑制されている。
【００３４】
そして、液晶テレビ５０の傾き角度の調節をする際に、スタンド部材３０を保持部材２０に対して伸縮させる時は、凸状の板バネ２５による移動抑制力以上の力をスタンド部材３０に加える。これにより、スタンド部材３０の２つの先端部３０ｂと連結したスライダ２３は、スタンド部材３０の伸縮方向と実質的に平行な方向に移動する。この場合、スライダ２３の凸状の板バネ２５との当接面である側面中央部２３ｃは、実質的に平坦に形成されているので、側面中央部２３ｃと凸状の板バネ２５とが当接している範囲内でスライダ２３が移動する間は、側面中央部２３ｃと凸状の板バネ２５との当接状態は同じになる。このため、側面中央部２３ｃと凸状の板バネ２５とが当接する範囲内でスライダ２３が移動する間は、凸状の板バネ２５の側面中央部２３ｃに対する押圧力はほぼ一定に保たれる。また、スライダ２３の側面中央部２３ｃは実質的に平坦であるので、段差がない。このため、スライダ２３は連続的に無段階で移動される。
【００３５】
次に、図１１に示した状態から、図１２に示すように、スタンド部材３０を保持部材２０に対して下方向に最大限に伸ばした状態を考える。この状態では、スタンド部材３０の２つの先端部３０ｂと連結したスライダ２３の下端面２３ｂは、下部カバー２１の第２ストッパ部２１ｆと当接する。また、この場合、凸状の板バネ２５の先端部は、押圧部材２６を構成する円柱状のゴム部材が円柱形状に復帰することによりスライダ２３側に突出した状態になるので、凸状の板バネ２５の先端部は、スライダ２３の丸形形状の側面両端部２３ｄの上方側に嵌まり込んだ状態になる。これにより、スタンド部材３０を保持部材２０に対して下方向に最大限に伸ばした状態では、スライダ２３の下方への移動が第２ストッパ部２１ｆにより抑制されるとともに、スライダ２３の上方への移動が凸状の板バネ２５の先端部により抑制される。その結果、スタンド部材３０を伸ばした時にスタンド部材３０が保持部材２０から脱落するのを防止することができる。
【００３６】
本実施形態では、上記のように、スライダ２３の側面中央部２３ｃを実質的に平坦で段差のない形状にするとともに、その平坦な段差のない側面中央部２３ｃに所定の押圧力で当接し、かつ、スライダ２３の所定の移動力以下での移動を抑制するための凸状の板バネ２５および押圧部材２６を設けることによって、スライダ２３に取り付けられたスタンド部材３０が液晶テレビ５０の自重により移動するのを抑制することができるとともに、スタンド部材３０の角度調節をする際には、凸状の板バネ２５のスライダ２３の実質的に平坦な側面中央部２３ｃに対する押圧力を一定に保持しながらスライダ２３を連続的に無段階で移動させることができる。これにより、スライダ２３と連結したスタンド部材３０を、スライダ２３の実質的に平坦な側面中央部２３ｃが凸状の板バネ２５に当接している範囲内で、連続的に無段階で伸縮させることができる。これにより、スライダ２３の実質的に平坦な側面中央部２３ｃが凸状の板バネ２５に当接している範囲内で無段階にスタンド部材３０の保持部材２０に対する長さを調節することができるので、液晶テレビ５０の傾きを所定の角度範囲で任意の角度に調節することができる。
【００３７】
また、本実施形態では、図９に示したように、スタンド部材３０を伸縮させることにより、液晶テレビ５０の傾き角度の調節を行うことができるので、載置面に対する液晶テレビ５０の位置およびスタンド部材３０の支持部３０ａの位置を動かすことなく、液晶テレビ５０の傾きを調節することができる。これにより、液晶テレビ５０の傾き角度の調節をスタンド部材３０の液晶テレビ５０に対する開き角度を調節することにより行う場合に比べて、液晶テレビ５０の載置位置とスタンド部材３０の載置位置との間の距離を小さくすることができるので、その分、設置スペースを少なくすることができる。
【００３８】
また、液晶テレビ５０の載置位置とスタンド部材３０の載置位置とを一定にした状態で液晶テレビ５０の傾き角度を調節することができるので、液晶テレビ５０の傾き角度の調節時に載置面に傷をつける可能性を低減することができる。
【００３９】
また、本実施形態では、保持部材２０を、液晶テレビ５０の背面に取り付けられたベース部材１０に回動可能に取り付けることによって、運搬・輸送時には、スタンド部材３０を液晶テレビ５０の背面側に閉じた状態にすることができる。これにより、運搬・輸送時の収納スペースを小さくすることができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、スライダを矩形状に形成したが、本発明はこれに限らず、スライダを、一部に実質的に平坦な側面中央部を有する他の形状に形成してもよい。たとえば、一部に実質的に平坦な側面中央部を有する円筒形状に形成してもよい。
【００４２】
また、上記実施形態では、スライダの移動を抑制する手段として、凸状の板バネおよび押圧部材の両方を用いたが、本発明はこれに限らず、スライダの移動を抑制する手段として、板バネおよび押圧部材のいずれか一方のみを用いてもよい。
【図面の簡単な説明】
【図１】本発明の一実施形態による液晶テレビ用スタンドを備えた液晶テレビを示した背面図である。
【図２】図１に示した液晶テレビを左側から見た側面図である。
【図３】本発明の一実施形態による液晶テレビ用スタンドを示した斜視図である。
【図４】図３に示した液晶テレビ用スタンドの分解斜視図である。
【図５】図３に示した液晶テレビ用スタンドの内部構造を示した部分拡大図である。
【図６】図３に示した液晶テレビ用スタンドの保持部材とスタンド部材とを示した斜視図である。
【図７】図６に示した保持部材とスタンド部材とを裏側から見た斜視図である。
【図８】図７に示した保持部材の部分拡大図である。
【図９】本発明の一実施形態による液晶テレビ用スタンドを備えた液晶テレビを載置面に載置した状態を示した側面図である。
【図１０】スタンド部材が保持部材に対して最大限に縮んだ時の保持部材の内部構造を示した部分拡大図である。
【図１１】スタンド部材を保持部材に対してある程度伸ばした状態を示した保持部材の部分拡大図である。
【図１２】スタンド部材が保持部材に対して最大限に伸びた時の保持部材の内部構造を示した部分拡大図である。
【図１３】従来の角度調節機構を備えたスタンドを液晶テレビ用スタンドとして用いた場合の概略側面図である。
【符号の説明】
１０  ベース部材
２０  保持部材
２１  下部カバー
２１ｅ  第１ストッパ部
２１ｆ  第２ストッパ部
２１ｇ  凹部側面
２３  スライダ
２３ａ  上端面
２３ｂ  下端面
２３ｃ  側面中央部
２３ｄ  側面両端部
２５  板バネ
２６  押圧部材
３０  スタンド部材
３０ａ  支持部
３０ｂ  先端部
５０  液晶テレビ
【図１】
2004361764.tif 000003
【図２】
2004361764.tif 000004
【図３】
2004361764.tif 000005
【図４】
2004361764.tif 000006
【図５】
2004361764.tif 000007
【図６】
2004361764.tif 000008
【図７】
2004361764.tif 000009
【図８】
2004361764.tif 000010
【図９】
2004361764.tif 000011
【図１０】
2004361764.tif 000012
【図１１】
2004361764.tif 000013
【図１２】
2004361764.tif 000014
【図１３】
2004361764.tif 000015